(57)【要約】【課題】数の枠板に複数の桟板が固着されて簀状を呈する２基の台部が夫々の端部において回動自在に連結されてなる布団簀の子において、連結部分に蝶番を用いることなく、しかも簡単な構成で楽に折畳みができ、折畳み時に全体の厚さを可能な限り薄くできる布団簀の子を開発する。【解決手段】２基の台部の連結部分が夫々の台部の枠板の端部に円孔が穿設され、該円孔に枢軸が挿通されることにより２基の台部が連結され、枢軸において２基の台部が夫々回動自在に構成されており、枠板の厚さと桟板に固着された脚部の厚さが同一であることを特徴とする布団簀の子を提供する。【選択図】図１
0003152826.tif 000002
【実用新案登録請求の範囲】
【請求項１】
複数の枠板に複数の桟板が固着されて簀状を呈する２基の台部が枠体の夫々の端部において回動自在に連結されてなる布団簀の子において、２基の台部の複数の枠板端部の位置に同寸の円孔が夫々穿設され、該円孔へ１本の枢軸が挿通されて２基の台部の複数の枠板の端部が該枢軸に対して回動自在に枢着されることにより枠板の端部において２基の台部が夫々回動自在に構成され、かつ２基の台部の双方の桟板に交互に重合するように相対して固着された脚部の厚みが枠板の厚さと同一に構成され、２基の台部が枢軸を支点として完全に折畳みされた際には双方の桟板の脚部が交互に重なり合うことにより２基の台部が重合し、全体の厚さが枠板１本分に桟板２本分の厚さが加わった厚さとなるように断面Ｉ字型の薄型簀の子に構成されていることを特徴とする布団簀の子。
【考案の詳細な説明】
【技術分野】
【０００１】
本考案は、複数の枠板に複数の桟板が固着されて簀状を呈する２基の台部に於て、該２基の台部の複数の枠板の端部に枢軸が挿通されて、該枢軸を支点として２基の台部が回動自在に枢支連結されて構成されている布団簀の子に関するものである。
さらに詳しくは、２基の台部の複数の枠板の端部が夫々隣合せに重合して枢軸にて枢支連結されている。つまり、２基の台部の複数の枠板の端部に於て同寸の円孔が穿設され、該端部の円孔へ１本の枢軸が挿通されて、２基の台部の複数の枠板が枢軸に対して回動自在に枢着されることにより、各枠板の端部において２基の台部が夫々回動自在に構成されており、さらに桟板に脚部が設けられていて、該脚部の厚さが枠板の厚さと同一寸法に構成され、完全に折畳みされた状態で２基の台部の夫々の複数の脚部が夫々隣合せに重合するように設けられ、そのとき全体の厚さが枠板１本分に桟板２本分の厚さが加わった厚さとなるように断面Ｉ字型の薄型の簀の子に構成されていることを特徴とする布団簀の子に関するものである。
【背景技術】
【０００２】
従来から、複数の枠板に複数の桟板が固着されて簀状を呈する２基の台部が夫々の端部において折畳み自在に連結されてなる折畳み簀の子（ベッドとして用いることのできる簀の子）は存在した。その連結部分の構成は、下記特許文献１に見るような蝶番を用いるものが大部分であるが、中には下記特許文献２、３に示すような蝶番を用いないタイプのものも存した。下記特許文献３にてはヒンジ、すなわち蝶番という用語が用いられているものの、実際には枢軸を用いているものである。
【０００３】
蝶番を用いるタイプの折畳みベッドにおいては、蝶番を固着させる棒状体が必要となる。しかも、蝶番の両側に隣接する２本の棒状体は、蝶番の性質から略当接状態に隣接されるので、ベッドを折り畳む際に、この隣接する２本の棒状体の間に指を挟まれて怪我をするという事故が頻繁に発生していた。下記特許文献２に示すような蝶番を使わないタイプでは、こうした事故は発生しにくいが、下記特許文献２に見るようにどうしても構成が複雑になり、折畳み操作においても面倒で、また製作時においても部品点数や工数が増加し、ひいては価格を押し上げる一因ともなっていた。
【０００４】
また、下記特許文献３に見られるように枢軸を用いるタイプのものは、枢軸によって完全に折畳まれた際に、全体の厚さが極めて薄く構成できるという他の構成には見られない特色がある。しかしながら、下記特許文献３においては、枢軸が３部分に別れ、３本の枢軸を細い丸棒にて回動自在に連結するという複雑な構成を用いているため、どうしても回動部分に無理な力が働き、構成上不安定で故障や動作不良を起こしやすくなる。また、構造上の安定を求めれば３本の枢軸を連結する細い丸棒の素材としては金属を用いざるを得ないが、そのように構成した場合、リサイクル上の問題が発生する。すなわち、簀ベッドは全体が木製で構成されるのが普通なので、分解して金属部分を取り除く必要が出てくる。
【先行技術文献】
【特許文献】
【０００５】
【特許文献１】実用新案登録第３１２０２３４号公報
【特許文献２】特開２００４−２４３１０２号公報
【特許文献３】特開２００３−３３２５４号公報
【考案の概要】
【考案が解決しようとする課題】
【０００６】
解決しようとする問題点は、連結部分において蝶番を用いることなく、しかも部品点数が少なく簡潔な構成で、製作においても工数が少なく、また購入者が操作する際においても簡単に折畳み且展開が可能で、且完全に折り畳んだ場合に全体の厚さが最小となり、かつ連結部分に枢軸を用いたとしても構成が単純で、全体が同一の素材で構成できるような布団簀の子（ベッドとして用いることのできる簀の子）を開発するという点である。
【課題を解決するための手段】
【０００７】
複数の枠板に複数の桟板が固着されて簀状を呈する２基の台部が枠体の夫々の端部において回動自在に連結されてなる布団簀の子において、２基の台部の複数の枠板端部の位置に同寸の円孔が夫々穿設され、該円孔へ１本の枢軸が挿通されて２基の台部の複数の枠板の端部が該枢軸に対して回動自在に枢着されることにより枠板の端部において２基の台部が夫々回動自在に構成され、かつ２基の台部の双方の桟板に交互に重合するように相対して固着された脚部の厚みが枠板の厚さと同一に構成され、２基の台部が枢軸を支点として完全に折畳みされた際には双方の桟板の脚部が交互に重なり合うことにより２基の台部が重合し、全体の厚さが枠板１本分に桟板２本分の厚さが加わった厚さとなるように断面Ｉ字型の薄型簀の子に構成されていることを特徴とする布団簀の子を提供する。
【考案の効果】
【０００８】
本考案の布団簀の子は、２基の台部の複数の枠板の連結部分側の端部の同位置に同寸の円孔が穿設され、隣接する２基の台部の枠板の夫々の相対する端面が完全に折畳まれた状態で当接させられ、上記円孔に１本の枢軸が挿通されて２基の台部の複数の枠板の夫々が該枢軸に対して回動自在に枢着されることにより連結部分（枠板の端部）において２基の台部が夫々回動自在に構成されているので、蝶番を使用しないから、蝶番を用いている布団簀の子（折畳み簀ベッド）において頻発するような、蝶番を固着させる２本の棒状体の間に指を挟まれるという事故が起こらない。また、１本の枢軸によって２基の台部を回動自在に枢着するという構成から、部品点数は少なく、全体が同一の素材によって構成でき、製作時の工数も少なく、且、購入者においても操作が楽で、リサイクルの際にも問題が起きない。すなわち、製作が簡単なので制作費が抑えられ、且使用者には使用が楽でリサイクルにも適するという効果を有するものである。さらに、２基の台部の枠板が隣合わせして１重となり、桟板に設けられた脚部も交互に構成されていて、隣合わせして１重となるゆえ、かつその厚さが枠板の厚さと同一に構成されているので、完全に折り畳んだ場合に全体の厚さが枠板１本分に桟板２本分の厚さが加わった最小の厚さとなる効果を有するものである。つまり、折畳んだ際には断面Ｉ字型の簀の子となるゆえ、収納スペースが少なくてすみ、然かも嵩張らず、持ち運びが容易であるなど、従来にないスマートで、重宝な簀の子である。
【図面の簡単な説明】
【０００９】
【図１】（ａ）本考案の布団簀の子の折畳み時の正面図である。（ｂ）本考案の布団簀の子を３０°程開脚させた状態の正面図である。
【図２】（ａ）本考案の布団簀の子を３０°程開脚させた状態の連結部分（枠板の端部）の正面図である。（ｂ）本考案の布団簀の子を３０°程開脚させた状態の連結部分（枠板の端部）の背面図である。（ｃ）本考案の布団簀の子を３０°程開脚させた状態の背面側から見た連結部分（枠板の端部）の外観斜視図である。
【図３】本考案の布団簀の子を展開してベッドとして使用する場合の外観斜視図である。
【図４】本考案の布団簀の子の折畳み時の平面図である。
【考案を実施するための形態】
【００１０】
本考案を実施するための形態を、図面を参照しながら詳細に説明する。
【実施例１】
【００１１】
本考案の実施例１の布団簀の子１は、図１ａと図４（折畳み時）、図１ｂ（３０°展開時）、図２ａ〜図２ｃ（３０°展開時）、図３（１８０°展開時）に見るように、４本の枠板２１、２３、２５、２７に複数の桟板３、３、……が固着されて簀状を呈する台部１Ａと、４本の枠板２２、２４、２６、２８に複数の桟板３、３、……が固着されて簀状を呈する台部１Ｂの２基の台部１Ａ、１Ｂが連結部４（枠板の端部）において折畳み自在に連結されて構成されている。なお、２基の台部１Ａ、１Ｂが水平に展開された状態、すなわちベッドとして使用される状態は図３に示すとおりである。
【００１２】
連結部４の構成は、図２ａ、図２ｂ、図２ｃ、図４に示すとおりである。すなわち、台部１Ａの枠板２１、２３、２５、２７の連結部４側の端部２１ａ、２３ａ、２５ａ、２７ａ及び台部１Ｂの枠板２２、２４、２６、２８の連結部４側の端部２２ａ、２４ａ、２６ａ、２８ａにおいて、隣接する端部２１ａの背面と端部２２ａの正面が当接されて同位置に夫々円孔ｈが穿設され、隣接する端部２３ａの背面と端部２４ａの正面が当接されて同位置に夫々円孔ｈが穿設され、隣接する端部２５ａの背面と端部２６ａの正面が当接されて同位置に夫々円孔ｈが穿設され、隣接する端部２７ａの背面と端部２８ａの正面が当接されて同位置に夫々円孔ｈが穿設され、結果として端部２１ａ〜２８ａの同位置に夫々円孔ｈが穿設されている。
【００１３】
さらに、端部２１ａ〜２８ａに夫々穿設された円孔ｈ、ｈ、……に枢軸４１が挿通され、枢軸４１の両端は留棒４２ａ、４２ｂが枢軸４１に挿通固着されることにより枢軸４１が円孔ｈ、ｈ、……から外れないように固定されている。しかしながら、枢軸４１は、円孔ｈ、ｈ、……中において回動自在に構成されているので、結果として、台部１Ａ、１Ｂは枢軸４１によって回動自在に連結された構成となっている。
【００１４】
本考案の実施例１の布団簀の子１は、非使用時には図１ａ、図４のように台部１Ａ、１Ｂを完全に折り畳む。このようにすることにより、極狭い空間にも収納が可能となる。この際、図４に示すように、枠板２１、２３、２５、２７と枠板２２、２４、２６、２８が互いに衝突することなく正面視にて重合し、また、台部１Ａの脚部６、６、……と台部１Ｂの脚部６、６、……も互いに衝突せず、隣接される脚部６、６、……どうしが正面視にて重合される。しかも枠板２１〜２８の厚さ２Ｄと桟板３、３、３、……に固着された脚部６、６、６、……の厚さ６Ｄが同一に構成されているので、布団簀の子１の全体の厚さは、枠板２１〜２８の厚さ２Ｄ（＝脚部６、６、６、……の厚さ６Ｄ）に桟板３の厚さ３Ｄの２倍を加えただけの最小限の厚さとなって、狭い隙間にも簡単に収納可能となる。次に、図１ｂは台部１Ａ、１Ｂを３０°程展開させた状態を示すが、この状態にて、布団簀の子１は蒲団掛けとして機能する。なお、５は、台部１Ａ、１Ｂを３０°程展開させた状態で固定するための固定棒である。さらに、ベッドとして使用する際には台部１Ａ、１Ｂを１８０°にまで展開させる（図３参照）。
【産業上の利用可能性】
【００１５】
布団簀の子（簀状の折畳みベッド）は、収納スペースが狭小となってきている最近のわが国の住宅において、良く使われているが、前述のように蝶番を用いたものは指を挟む怖れがあり、また他の構成のものは複雑で余り普及しなかった。本考案の布団簀の子は、蝶番を用いることなく簡単な構成を実現させたもので、今後幅広い普及が見込まれるものである。
【符号の説明】
【００１６】
１      布団簀の子
１Ａ    台部
１Ｂ    台部
２Ｄ    厚さ
２１    枠板
２２    枠板
２３    枠板
２４    枠板
２５    枠板
２６    枠板
２７    枠板
２８    枠板
２１ａ  端部
２２ａ  端部
２３ａ  端部
２４ａ  端部
２５ａ  端部
２６ａ  端部
２７ａ  端部
２８ａ  端部  
３      桟板
３Ｄ    厚さ
４      連結部分
４１    枢軸
４２ａ  留棒
４２ｂ  留棒
５      固定棒
６      脚部
６Ｄ    厚さ
ｈ      円孔
【図１】
0003152826.tif 000003
【図２】
0003152826.tif 000004
【図３】
0003152826.tif 000005
【図４】
0003152826.tif 000006